【手続補正書】
【提出日】令和2年3月5日(2020.3.5)
【手続補正１】
【補正対象書類名】特許請求の範囲
【補正対象項目名】全文
【補正方法】変更
【補正の内容】
【特許請求の範囲】
【請求項１】
神経調節に使用するための電極アセンブリであって、
少なくとも部分的にＵ字形チャネルを確定する壁を有するセグメントと、
前記Ｕ字形チャネル上の複数の電極と、
前記複数の電極に電気的に接続されるとともに、前記Ｕ字形チャネル内に配置されている複数の導体と、
を備える、
電極アセンブリ。
【請求項２】
絶縁材料が、前記複数の電極のエッジを少なくとも部分的に覆っている、
請求項１に記載の電極アセンブリ。
【請求項３】
前記複数の導体のそれぞれが、絶縁材料で被覆されている、
請求項１又は２に記載の電極アセンブリ。
【請求項４】
前記複数の導体を覆う絶縁シートをさらに備える、
請求項１から３のいずれかに記載の電極アセンブリ。
【請求項５】
前記Ｕ字形チャネルが、前記複数の電極を横方向に部分的に覆うように構成される深さを有する、
請求項１から４のいずれかに記載の電極アセンブリ。
【請求項６】
前記複数の電極のそれぞれは、長方形の断面を有する、
請求項１から５のいずれかに記載の電極アセンブリ。
【請求項７】
前記複数の電極のそれぞれは、円形の断面を有する、
請求項１から５のいずれかに記載の電極アセンブリ。
【請求項８】
前記セグメントは、プラスチックを含む、
請求項１から７のいずれかに記載の電極アセンブリ。
【請求項９】
前記セグメントは、成型される、
請求項８に記載の電極アセンブリ。
【請求項１０】
前記複数の電極のそれぞれは、前記セグメントの長手方向に沿って間隔を空けている、
請求項１から９のいずれかに記載の電極アセンブリ。
【請求項１１】
前記複数の電極のそれぞれは、円形である、
請求項１から１０のいずれかに記載の電極アセンブリ。
【請求項１２】
前記Ｕ字形チャネルが、０．００５インチ（約０．１３ｍｍ）から０．０２インチ（約０．５１ｍｍ）の間の深さを有する、
請求項１から１１のいずれかに記載の電極アセンブリ。
【請求項１３】
前記Ｕ字形チャネルが、０．０１５インチ（約０．３８ｍｍ）から０．０５インチ（約１．３ｍｍ）の間の幅を有する、
請求項１から１２のいずれかに記載の電極アセンブリ。
【請求項１４】
前記セグメントは、ストラットに結合可能である、
請求項１から１１のいずれかに記載の電極アセンブリ。
【請求項１５】
前記ストラットが、圧縮状態と拡張状態との間を変更可能な自己拡張構造のワイヤを含む、
請求項１４に記載の電極アセンブリ。
【請求項１６】
心不全を治療するためのデバイスであって、
圧縮状態及び自己拡張状態を有する拡張可能構造体であって、近位ハブから遠位ハブまで延びる複数のスプラインと含む、拡張可能構造体と、
前記複数のスプラインの第１のスプライン上の第１の電極と、
ハンドルから前記近位ハブまで延びる外管と、
前記外管を通って前記ハンドルから遠位ハブまで延びるシャフトと
を備え、
前記ハンドルは前記シャフトを後退させるように構成され、
前記デバイスは、肺動脈内に配置され、心不全を治療するための心臓収縮性を高めるために前記第１の電極から標的組織にエネルギーを送達するように構成されている、
デバイス。
【請求項１７】
前記複数のスプラインのうち、少なくとも１つのスプラインが、電極を有さない、
請求項１６に記載のデバイス。
【請求項１８】
前記複数のスプラインの第２のスプライン上の第２の電極をさらに備え、
前記第１のスプラインは、前記第１の電極を含む第１複数電極群を含み、
前記第２のスプラインは、前記第２の電極を含む第２複数電極群を含む、
請求項１６又は１７に記載のデバイス。
【請求項１９】
前記第２のスプラインは、前記第１のスプラインに円周方向に隣接している、
請求項１８に記載のデバイス。
【請求項２０】
前記複数のスプラインのうち円周方向に隣接する少なくとも４つのスプラインのそれぞれが複数の電極を備える、
請求項１６から１９のいずれかに記載のデバイス。
【請求項２１】
電極を含む前記複数のスプラインのスプラインが、前記拡張可能構造体の長手方向軸と交差する平面の片側で外向きに延びるように構成される、
請求項１６から２０のいずれかに記載のデバイス。
【請求項２２】
前記複数のスプラインのスプラインが、円周方向に１００°から１２０°を占める、
請求項２１に記載のデバイス。
【請求項２３】
前記外管は、前記外管の長さに沿った複数の長手方向部分を備え、前記複数の長手方向部分のそれぞれは、前記複数の長手方向部分のうち遠位の前記長手方向部分よりも高いデュロメータを有する、
請求項１６から２２のいずれかに記載のデバイス。
【請求項２４】
心不全の処置のためのデバイスであって、
ハンドルと、
圧縮状態と自己拡張状態とを有する拡張可能構造体と、
外管と、
前記外管を通って前記ハンドルから遠位ハブまで延びるシャフトであって、前記ハンドルが前記シャフトを前記外管まで後退させるように構成されている、シャフトと、
を備え、
前記ハンドルは、
近位端と、
遠位端と、
前記近位端から前記遠位端まで延びる内腔とを有するハンドルベースと、
前記ハンドルベースの前記内腔に結合された前記外管の近位端と、
前記ハンドルベースの前記内腔を貫通してスライド可能に延在する前記シャフトと、
前記シャフトの近位端に取り付けられたアクチュエータと
を備え、
前記アクチュエータは、前記ハンドルベースに対して近位方向及び遠位方向に移動可能であり、前記遠位方向に移動したときは前記拡張可能構造体を拡張させ、前記近位方向に移動したときは前記拡張可能構造体を圧縮させるように構成される、
デバイス。
【請求項２５】
前記拡張可能構造体は、肺動脈内に配置され、心臓伸縮性を高めるために標的組織にエネルギーを送達するように構成される、
請求項２４に記載のデバイス。
【請求項２６】
前記ハンドルは、
前記ハンドルベースから延びる外部ハンドルと、
前記アクチュエータに取り付けられた近位端を含む固定部材と、
前記外部ハンドルと前記アクチュエータとの間で前記固定部材に沿って配置された係止部材と
をさらに備え、
前記係止部材は、前記固定部材の長手方向軸に沿って移動可能であり、前記固定部材の長さに沿った位置に固定されて前記アクチュエータの遠位方向への移動を阻止するように構成される、
請求項２４又は２５に記載のデバイス。
【請求項２７】
前記固定部材は、ねじ付きシャフトを備え、前記係止部材は、ねじ付きチャネルを備え、前記係止部材は、前記ねじ付きシャフトの周りで前記係止部材を回転させることにより前記固定部材に沿って長手方向に移動可能である、請求項２６に記載のデバイス。
【請求項２８】
前記ハンドルは、係止構成及び係止解除構成を有する係止部材をさらに備え、前記係止部材は、
近位端と遠位端とを含む本体と、
前記近位端から前記遠位端まで延びるチャネルと、
前記チャネル内に延びる突起と、
を備え、
前記アクチュエータは、前記係止部材の前記チャネルを通って延び、前記突起は、前記係止部材が前記係止構成にあるとき、前記アクチュエータが前記ハンドルベースに対して前記近位方向及び前記遠位方向の少なくとも一方に移動することを阻止するように構成され、前記アクチュエータは、前記係止部材が前記係止解除構成にあるとき、前記近位方向及び前記遠位方向に移動可能である、
請求項２４から２６のいずれかに記載のデバイス。
【請求項２９】
前記アクチュエータは、
細長本体と、
前記細長本体の長さに沿ったテクスチャ表面と、
前記細長本体の周りで回転させることにより係止構成と係止解除構成との間を移動可能な係止部材と、
を備え、
前記突起は、係止位置において前記テクスチャ表面と接触し、係止解除位置においてテクスチャ表面と接触しないように構成される、
請求項２４から２８のいずれかに記載のデバイス。
【請求項３０】
前記係止部材は、前記本体から離れる方向に延びるタブをさらに備え、前記タブは、前記係止部材が係止構成にあるときに前記ハンドルベースに対して第１の位置に配置可能であり、前記係止部材が係止解除構成にあるときに第２の位置に配置可能である、
請求項２９に記載のデバイス。
【請求項３１】
前記テクスチャ表面は、一連の隆起部を備え、前記係止部材の前記突起は、前記隆起部の間のノッチと噛み合うように構成される、
請求項２９又は３０に記載のデバイス。
【請求項３２】
前記係止部材の前記チャネルは長円形である、
請求項３１に記載のデバイス。
【請求項３３】
前記係止部材は、前記係止部材を４分の１回転させることにより、係止構成と係止解除構成との間で切り替わるように構成されている、
請求項３１又は３２に記載のデバイス。
【請求項３４】
前記ハンドルベースは、前記ハンドルベースの前記内腔内に延びる側壁において、前記外管の前記近位端に対して近位に口径をさらに有し、電気コンダクタが電気的ソケットから前記ハンドルベースの前記口径を通って前記外管内へと延びる、
請求項２４から３３のいずれかに記載のデバイス。